(57)【要約】  【課題】  油煙等を生じさせることなく、食味の点で優れる木炭等の炭火により卓上にて簡易に焼き物を行うことができると同時に、その他の加熱調理、例えば鍋物等を前記焼き物の調理と同時に行うことができる炭火調理器を提供する。  【解決手段】  底板１１と、前記底板１１の周縁部より立設された側板１２とを有する本体１０を備え、前記底板１１及び側板１２により囲まれた前記本体１０内の空間を、網状体２０によって上下に仕切り、前記網状体２０の上部を、木炭、竹炭、泥炭、無煙炭等の炭燃料３０を収容する燃料収容室１５とし、前記網状体２０と前記底板１１間に形成された空間を、前記炭燃料３０の燃焼により生じた熱により該空間内に配置された食材Ｆを加熱調理するオーブン室１６とし、さらに、前記燃料収容室１６の上部を開口１５ａしてコンロ１８とする。  【選択図】  図２  
2005114239.tif 000002
【特許請求の範囲】
【請求項１】
不燃性の材料により形成された本体の内部空間を、不燃性の仕切体によって連通状態に上下に仕切り、前記仕切体の上部空間を、木炭、竹炭、泥炭、無煙炭等の炭燃料を収容する燃料収容室とし、前記仕切体の下部空間を、前記炭燃料の燃焼により生じた熱により加熱されるオーブン室と成すと共に、
前記燃料収容室の上部を開口して該開口上にコンロを形成したことを特徴とする炭火調理器。
【請求項２】
前記燃料収容室の上部開口を不燃性の網状体で被蓋したことを特徴とする請求項１記載の炭火調理器。
【請求項３】
前記燃料収容室が、前記炭燃料が収容された耐熱性容器を前記本体内の所定の位置に収容することにより形成されていることを特徴とする請求項１又は２記載の炭火調理器。
【請求項４】
前記本体が、前記燃料収容室の形成部分を含む上部と、下部とに分離可能に構成されていることを特徴とする請求項１又は２記載の炭火調理器。  
【請求項５】
前記オーブン室に対する食材の出し入れ口を前記本体に形成したことを特徴とする請求項１〜４いずれか１項記載の炭火調理器。
【請求項６】
前記出し入れ口を開閉する扉を備えたことを特徴とする請求項５記載の炭火調理器。
【請求項７】
請求項１〜６いずれか１項記載の炭火調理器と、前記炭火調理器の前記燃料収容室内に充填される炭燃料との組合せから成る炭火調理セット。
【請求項８】
前記炭火調理器により調理する食材を更に含む請求項７記載の炭火調理セット。
【発明の詳細な説明】
【技術分野】
【０００１】
本発明は炭火調理器及び炭火調理セットに関し、より詳細には炭火を利用して調理を行う調理器において、肉や魚等の焼き物と同時に、鍋物、その他の各種料理の調理・保温等を同時に行うことができる炭火調理器、及び前記炭火調理器に木炭等の炭燃料や、調理される食材とを組み合わせた炭火調理セットに関する。
【背景技術】
【０００２】
木炭等の炭火を用いて肉や野菜、魚介類等を焼くための調理器の一例として、専ら屋外等において使用するバーベキューコンロがある。このバーベキューコンロにあっては、木炭等の炭燃料を収容した容器上に鉄板や金網等を載せ、この鉄板や金網上に調理する肉や野菜、魚等の食材を載せることにより、その下部に配置された燃料の燃焼により生じた熱によってこの食材を焼くことができるように構成されている（特許文献１）。
【０００３】
このような炭火による焼き物の調理は、前述のバーベキューに限定されず、焼き肉やステーキ、焼き鳥、串焼き、焼き魚、その他の各種の焼き物の調理において行われ、これらの調理を炭火で行うことにより、炭の持つ独特の香ばしさを食材に与えることができる等、食味の点で他の熱源による加熱調理に比較して優れた店も多いことから、炭火による調理が好んで行われる場合も多い。
【０００４】
その一方で、前述のバーベキューコンロの如き調理器を室内に持ち込んで調理を行う場合には、肉や魚介類等の食材を焼く際に出た汁や油が火の付いている炭の上に落ちて大量の煙が発生する。
【０００５】
そして、この煙の中に含まれる油分等が壁や床等に飛散し、また、この際に生じた匂いが部屋の壁や床、カーテン、その他の調度品、衣服等に付着して室内を汚染することから、このような炭火による焼き物の調理は、これを室内において行うことは一般には行われていない。
【０００６】
なお、卓上において焼き物を調理するために、例えば固形燃料を収容した台に例えば焙烙等を載せ、この焙烙上で肉等を焼いてその場で食する事も行われている。
【０００７】
また、卓上において鍋、おでん、湯豆腐等を提供する場合も、同様に固形燃料が収容された台の上に、一人前用の鍋等を載せ、固形燃料の燃焼により生じた熱により鍋内の料理を加熱調理する方法や、ガスコンロ等を卓上に置き、数人分の鍋料理をその場で調理することも行われている。
【０００８】
この発明の先行技術文献情報としては次のものがある。
【特許文献１】特開平１１−７００４６号公報（第２−３頁、図２）
【発明の開示】
【発明が解決しようとする課題】
【０００９】
前述のように、炭火による焼き物の調理が食味の点で優れるものであるにも拘わらず、多量の煙を発生させるものとなっていることから、例えば焼き肉レストランのように、専用の換気設備の整った屋内では例外的に卓上において炭火焼きによる焼き物の提供を行う場合はあるものの、例えばホテル、レストラン、食堂、旅館等における客室や宴会場等の室内においてこのような炭火による焼き物が卓上において提供されることはなかった。
【００１０】
そのため、このようなホテル、レストラン、食堂、旅館等において行われる食事や宴席等において、熱いうちに食べることができる、炭火による焼き物料理を期待することはできなかった。
【００１１】
また、卓上において使用される従来の加熱調理器にあっては、炭火による調理を行うものではないだけでなく、焼き物、鍋物等は、それぞれ別個に行われており、数種類の料理の調理・加熱を卓上で同時に行うことができる調理器は存在していない。
【００１２】
そのため、焼き物と鍋物とを同一の卓上で提供しようとすれば、焼き物用の加熱調理器と、鍋物用の加熱調理器とをそれぞれ別個に準備する必要があり、加熱調理器を多量に準備する必要があると共に、配膳、片付け、手入れ、収納等においても不便である。
【００１３】
また、このように複数の加熱調理器を同時に同一卓上に並べることにより、これらの器具が卓上の場所を広く取り、食事等を行い難いものとしている。
【００１４】
さらに、従来の加熱調理器により調理を行う場合には、例えば焼き物を行う場合、前述の例では、焙烙、台、固形燃料及び食材をそれぞれ別個に買い求め、準備する必要があり、直ちに加熱調理を開始することができるものとはなっていない。
【００１５】
そこで、本発明は、上記従来技術の欠点を解消するためになされたものであり、食味の点で優れる木炭等の炭火によって、油煙等を生じさせることなく、卓上において簡易に焼き物を行うことができると同時に、その他の加熱調理、例えば鍋物等を前記焼き物の調理と同時に行うことができる炭火調理器を提供することを目的とする。
【００１６】
また、本発明の別の目的は、付属の木炭等の炭燃料に着火するのみで直ちに炭火調理を開始することのできる炭火調理セットを提供することを目的とする。
【課題を解決するための手段】
【００１７】
上記目的を達成するために、本発明の炭火調理器１は、不燃性の材料により形成された本体１０の内部空間を、例えば金網等の不燃性の仕切体２０によって連通状態に上下に仕切り、前記仕切体２０の上部空間を、木炭、竹炭、泥炭、無煙炭等の炭燃料３０を収容する燃料収容室１５とし、前記仕切体２０の下部空間を、前記炭燃料の燃焼により生じた熱により加熱されるオーブン室１６と成すと共に、
前記燃料収容室１５の上部を開口１５ａして該開口上にコンロ１８を形成したことを特徴とする（請求項１）。
【００１８】
前記構成の炭火調理器１において、前記燃料収容室１５の上部開口１５ａは、これを不燃性の網状体１９で被蓋するものとしても良い（請求項２）。
【００１９】
前述の構成において、前記燃料収容室１５が、前記炭燃料３０が収容された耐熱性容器（燃料カセット）を前記本体１０内の所定の位置に収容することにより形成することもできる（請求項３；図４，５参照）。
【００２０】
また、前記本体１０を、前記燃料収容室１５の形成部分を含む上部と、下部とに分離可能に構成しても良い（請求項４；図６，７参照）。
【００２１】
また、前記オーブン室１６に対する食材の出し入れ口１３を前記本体１０に設けることができ（請求項５）、この場合には、出し入れ口１３を開閉する扉１４を設けた構成とすることが好ましい（請求項６）。
【００２２】
さらに、前述の炭火調理器１は、前記炭火調理器１の前記燃料収容室１５内に充填される炭燃料と組み合せて炭火調理セットとして販売等することもできる（請求項７）。
【００２３】
この場合、前記セットに更にこの炭火調理器１により調理する食材を含めれば好適である（請求項８）。
【発明の効果】
【００２４】
上記本発明の構成により、油煙等を生じさせることなく肉や魚等を卓上で調理することができる炭火調理器１を提供することができた。これにより、室内、例えばホテルやレストラン、旅館等における食事や宴席等においても、炭火焼きの肉や魚等を、できたての熱い状態で食することができ、しかも油煙等による室内の汚染も生じない。そのため、例えばこれを大規模な宴席等において使用する場合には、全ての来席者に対して料理を加熱乃至は保温中の状態において提供することができる一方、厨房等での調理の手間も大幅に省ける。
【００２５】
また、炭火調理器に設けられたコンロにより、前述の焼き物と同時に鍋物、その他各種の料理を行うことができ、炭燃料の燃焼により生じた熱を有効に利用して一台の加熱調理器により複数種類の料理を提供することができた。
【００２６】
これにより、それぞれの料理に対して調理器を別途準備する場合に比較して、卓上での場所を取らないと共に、配膳、片付け、収納等が容易となった。
【００２７】
また、燃料収容室１５の上部に形成された開口１５ａを、金網等の不燃性の網状態１９で被蓋した炭火調理器１にあっては、具材を入れた鍋４０、その他の調理器具を前記網状体１９上に載せるだけで、鍋料理等の加熱調理が可能である。
【００２８】
本体１０内に炭火燃料を収容した耐熱容器（燃料カセット）を収容可能とした構成、又は、前記燃料収容室１５の形成部分（燃料カセット）を含む上部と、下部とに本体１０を分離可能に構成した炭火調理器１にあっては、例えば燃料カセットのみを別売とすることにより燃料カセットを交換するだけで繰り返し使用することができ、経済的であると共に、燃料カセットとオーブン室１６との間隔を調整することによる火力調整や、所定時間の調理後に燃料カセットを除去する等して食材Ｆの焼きすぎ等を防止できる等、所望の焼き具合に食材Ｆを調理するに便利である。
【００２９】
前記オーブン室１６に対する食材の出し入れ口１３を形成する場合には、食材Ｆの出し入れが容易であると共に、焼け具合等の調理の状況を容易に確認することができる。
【００３０】
また、この出し入れ口１３を開閉する扉１４を設ける場合には、この扉１４により前述の出し入れ口１３を閉じることにより食材Ｆが焼ける際に生じた油等が、器外に飛散等することを好適に防止することができ、卓上の汚染等を防止することができる。
【００３１】
さらに、上記炭火調理器１と木炭等の炭燃料３０とをセットとして提供することにより、木炭等の炭燃料３０に着火するのみで直ちに調理を開始することができ便利である。
【００３２】
また、このような調理器１と食材Ｆとを組合せで販売することにより、購入後、前述の炭燃料３０に着火等するのみで容易に調理を行うことができ、スーパーやコンビニエンスストア等での簡易調理器具付きの食材等として販売するに便利である。
【００３３】
なお、上記説明では、本発明の炭火調理器１を室内、主として卓上で使用する場合の利点について述べたが、この炭火調理器１は、登山、キャンプ、運動会、遠足等のアウトドアで使用することも可能であり、簡易、容易に焼き物及びその他の調理を行うことができる。
【発明を実施するための最良の形態】
【００３４】
次に本発明の実施形態につき添付図面を参照しながら以下説明する。
【００３５】
〔実施形態１〕
図１〜図３に、本発明の炭火調理器１の第１の実施形態を示す。
【００３６】
図１において、１は本発明の炭火調理器であり、この炭火調理器１は、金属、セラミックス、その他の不燃性の材料にて形成された本体１０を備えている。
【００３７】
この炭火調理器１の本体１０は、図示の実施形態にあっては底板１１と、この底板１１の周縁より立ち上がり、前記底板１１上の空間を包囲する側板１２から成り、この底板１１上に形成された、側板１２により包囲された空間内を仕切体２０により少なくとも上下二段に仕切り、このうちの上段を木炭、竹炭、泥炭（ピート）、無煙炭、その他の炭燃料３０を収容する、燃料収容室１５と成すと共に、下段に形成された室を、肉や魚、その他、焼き物とする食材Ｆを収容するオーブン室１６としている。
【００３８】
前述の炭火調理器本体１０を構成する前述の不燃材料としては、前述の燃料収容室１５内に収容された炭燃料に点火した際にも燃焼することのない材質であれば各種のものを使用することができ、例えばトタン、錫板、鉄板、又はアルミニウム板等の金属材料、セラミックス、練り固めた土や粘度、その他の各種材質のものを使用することができる。
【００３９】
また、前述の炭火調理器本体１０の形状についても、図示の実施形態にあっては、その外形を略直方体に形成しているが、この形状に限定せず、例えば底板１１を円形として側板１２が円筒状に立ち上がる形状としても良く、その他、底板１１の形状は、三角形、その他の多角形、楕円形、幾何学形状等、如何なる形状としても良く、底板１１と、この底板１１の周縁より立ち上がる側壁１２によって、前述の燃料収容室１５、オーブン室１６を形成し得るものであれば、その形状は図示の実施形態に限定されない。
【００４０】
前述のように、炭火調理器本体１０内を上下二室に仕切る仕切体２０は、金網やパンチングメタル等の金属、網状又は多数の穴が形成されたセラミック板等の網状体、対向する側板１２間に架橋された金属棒等を所定間隔で配置する等、後述する炭燃料３０を前述の燃料収容室１５内に収容することができると共に、炭燃料の燃焼によっても燃えることがなく、さらに炭燃料３０の燃焼により生じた熱をその下部に形成されたオーブン室１６内に伝達し得るものであれば如何なる材質、構造であっても良い。
【００４１】
以上のように構成された炭火調理器本体１０において、前述の燃料収容室１５の上部は開口１５ａを有しており、この開口１５ａを介して上部に放出される熱を利用して、前述のオーブン室１６内における焼き物の調理とは別に加熱調理を行うことができるコンロ１８が形成されている。
【００４２】
図示の実施形態にあっては、この燃料収容室１５上に形成された開口１５ａを不燃性の網状体１９により被蓋し、この網状体１９上に例えば鍋４０等の調理器具を載置して調理可能に構成している。
【００４３】
この網状体１９としては、金網、パンチングメタル等の金属材料、セラミックス製の網状体等、不燃性であると共にその上に載置される鍋４０等の重量に耐え得るものであればその材質は限定されない。
【００４４】
また、この燃料収容室１５上に形成された開口１５ａは、これを必ずしも前述の網状体１９により被蓋することを要せず、例えばこの開口縁上に前述の鍋４０等の底部を載置可能であれば、直接、側板１２の上端縁に鍋４０等を載置するようにしても良く、また、対向する側板１２間に架設された、例えば金属棒等を所定間隔で設けてこの上に鍋４０等の調理器具を載置するものであっても良く、更には、開口１５ａ内において、側板１２の上端縁より突出する突起などを設け、この突起上に鍋４０等の調理器具の底部を載置可能としても良く、その構成は図示の実施形態に限定されない。
【００４５】
なお、前述のように燃料収容室１５の上部開口１５ａを網状体１９により被蓋する場合には、この網状体１９を着脱可能とすることにより、燃料収容室内への炭燃料の充填、着火、炭燃料３０の補充等が容易となり、例えば、開口１５ａ内において側板１２の側面に突起を形成し、この突起上に前述の網状体１９の周縁を載置することにより、又は、側板１２の上端縁に網状体１９を載置することにより着脱可能とすることができる。
【００４６】
前述の焼き物となる食材Ｆが収容されるオーブン室１６内では、図１に示すように食材Ｆを底板１１上に直接載置する構成としても良く、この場合には、例えば底板を波打ち形状とし、又は底板に所定のパターンでエンボスを形成し、又は溝、その他の凹凸形状を形成して、加熱時に食材Ｆより発生した余分な油や汁等が底板１１の凹部に溜まって除去され易いように構成しても良く、また、前述の凹凸形状に代え、または前述の凹凸形状と共に、底板１１にこのようにして生じた汁や油を所定の方向に貯めるように傾斜を付けても良く、例えば底板１１を中央が上方に膨出するドーム型に形成することにより、底板１１の周縁側に食材より生じた汁や油を流れ出させるように構成しても良い。
【００４７】
また、オーブン室１６内において調理される食材は、前述のように底板１１上に直接載置せず、例えば底板１１上に所定の間隔を介して金網等を一段、又は複数段配置し、食材より生じた汁や油がこの金網等に形成された網目を通って底板１１上に落下するように構成しても良く、また、このように底板１１上に金網等を配した場合には、食材より生じた前述の汁や油を受ける受け皿等をこの金網と底板１１間に挿入可能に構成しても良い。
【００４８】
なお、前述のオーブン室１６の形成位置における側板１２には、このオーブン室１６内において加熱調理される食材Ｆを出し入れ等するための出し入れ口１３を形成しておくこともでき、この出し入れ口１３がある装置には、この出し入れ口１３を介してオーブン室１６内に食材Ｆを挿入すると共に、金網、金棒、フォークや串、箸等、既知の各種の器具等をオーブン室１６内に挿入して食材Ｆを裏返し、又は調理が終了した食材Ｆを取り出す等の作業や、調理状況（焼け具合等）を目視確認することができるように構成されている。
【００４９】
この出し入れ口１３は、これを常時開放した状態としても良いが、食材Ｆが焼ける際に油等が飛散する場合があることを考慮し、前述の出し入れ口１３を開閉する扉１４を設けることが好ましい。
【００５０】
この扉１４は、例えばこれをヒンジ等を介して側板１２に揺動可能に取り付けるものとしても良いが、例えば側板１２が比較的肉薄なアルミ板等の軟質な材料により形成されている場合には、側板１２の一部を略コ字状に切断して矩形状の扉１４の４辺中の３辺を側板１２より切り離し、切断されずに側板１２と連結されている部分を折り曲げ部分Ｌとして開閉可能としても良い。
【００５１】
また、この出し入れ口１３及び扉１４の形成位置は、図１に示す実施形態にあっては、燃料収容室１５と、オーブン室１６との境界部分、すなわち、仕切体２０の配置位置においてこの折り曲げ部分Ｌを形成し、これによりこの扉１４が上方に向かって開くように構成しているが、この折り曲げ部分Ｌを例えば底板１１との境界部分に設けても良く、これにより下方に向かって開放する扉としても良い。さらには、この折り曲げ部分Ｌを垂直方向に設け、扉１４が水平方向に開閉するように構成しても良い。
【００５２】
なお、食材Ｆの挿入、取り出し、反転等を行うための前述の金網５０、金棒、フォーク、その他の器具は、これを本発明の炭火調理器１を構成する部品として構成しても良い。この場合には、一例として図９に示すように金網５０等に取り付けられた取っ手５１部分の存在によっても前述の扉１４を閉じることができるよう、扉１４にスリット１４ａ等を設ける構成としても良い。
【００５３】
さらに、この扉１４は、本体１０とはこれを別個に設け、例えば図１０に示すように食材Ｆを載せる金網５０や汁受け皿等に取り付けられた取っ手５１に取り付け、食材Ｆを金網５０等と共にオーブン室１６内に挿入した際に、同時にこの扉１４によって出し入れ口１３が閉塞されるようにしても良い。
【００５４】
なお、図示の例にあっては、食材Ｆの取り出し易さ等を考慮してこの出し入れ口１３の下端を底板１１と同一高さに形成しているが（図２参照）、この出し入れ口１３の下端は、底板１１の配置位置よりも高い位置に形成することにより、調理の際に食材Ｆより生じた汁や油がこの出し入れ口１３を介して外部に流出することを防止しても良い。
【００５５】
以上のように構成された炭火調理器１のオーブン室１６内に調理する食材Ｆを入れ、また、炭火調理器１の本体１０の上部に形成されたコンロ１８に、具材等の入った鍋４０、その他の調理器を載置し、この状態において前述の炭火調理器本体１０の燃料収容室１５内に収容されている木炭等の炭燃料３０に着火すると、前述の燃料収容室１５内において炭燃料３０の燃焼が始まり、この際に発生した熱が金網等で構成されている仕切体２０を通過してその下に形成されたオーブン室１６内を加熱する。そのため、オーブン室１６内に配置された食材Ｆは、この炭燃料３０の燃焼により生じた熱により焼かれ、調理される。
【００５６】
肉や魚等から生じた汁や油は、底板１１上、又は底板１１上に前述のように受け皿が載置されている場合には、この受け皿上に落下し、食材Ｆの上方に設けられている炭燃料３０とは接触することがなく、従って炭燃料３０と食材Ｆから出た汁や油が接触することにより生じる煙の発生を防止することができる。
【００５７】
また、このようにして食材Ｆが加熱調理されることにより、食材Ｆ中に含まれる汁や油等は、その一部がオーブン室１６内で空気中に飛散するが、本発明の炭火調理器１を使用する場合、前述のように出し入れ口１３に設けられた扉１４を閉じることにより、オーブン室１６は外部より遮断されることから、このオーブン室内で生じた油等がオーブン室１６を出て周囲を汚染することを防止することができる。
【００５８】
しかも、前述のように出し入れ口１３を扉１４により閉じた状態にあっては、このオーブン室１６内の空気の排出は燃料収容室１５を介してその上部に形成された開口１５ａを介して行われることとなるが、このように食材Ｆを調理することにより生じた油等を含む空気は、燃料収容室１５を通過する際に炭燃料３０と接触してその中に含まれる油分等が燃焼した後排出されることから、オーブン室１６内で生じた不快な匂いや油等が室内に拡散することをも防止し得る一方、ミスト状に微量に含まれる油等は炭燃料と接触しても油煙を殆ど生じさせない。
【００５９】
燃料収容室１５内に収容されている炭燃料の燃焼により生じた熱は、この燃料収容室１５の下部に形成されたオーブン室１６内のみならず、その上方に形成された開口１５ａを介して上方に排出される。
【００６０】
この燃料収容室１５上に形成された開口１５ａには、前述のように鍋４０等を載置可能としたコンロ１８が形成されており、このコンロ１８部分に鍋４０等の調理器を載置することにより、煮、炊き、保温、その他の各種調理を行うことができるように構成されている。
【００６１】
従って、宴席等の食事において、炭火による肉や魚等の焼き物と共に、例えば鍋やおでん、湯豆腐等の所謂「鍋物」等を含むコース料理等を提供する場合には、これらの料理を同時に提供することができると共に、材料のみを入れた状態で配膳し、後は食事が開始された時に炭燃料３０に着火するだけで、卓上で調理を完了させることができることから、調理、配膳等の手間を省くことができる。
【００６２】
また、大人数の宴席等にあっては、予め作り置きされた冷めた料理が提供されがちであるが、このような大人数の宴席等にあっても、本発明の炭火調理器１を各人毎に又は数名毎に利用可能とすることで、料理を熱いうちに提供することができる。
【００６３】
なお、前述の例では、前述のコンロ１８上で行う調理を、鍋４０を使用した調理として説明したが、このコンロ１８上における調理は鍋料理に限定されず、各種の調理に使用することができ、例えば鍋物の他、うどん、お好み焼き、焼きそば、煮込み、トースト、ホイル焼き等、一般的なコンロ１８を使用して行うことが可能な各種の加熱調理を行うことが可能である。
【００６４】
以上説明した炭火調理器１は、これを前述した燃料収容室１５内に充填する炭燃料３０、該炭燃料３０が着火に時間を要するものであるような場合には、炭燃料３０と共に着火剤をセットとして販売等するものであっても良い。
【００６５】
また、前述の炭火調理器１は、例えばこれを使い捨てのトレイ等として使用されているようなアルミニュウム等の材料で簡易に製造し、これにより一回限りの使用により廃棄するものとして製造しても良く、この場合には、予め前述の炭燃料３０を燃料収納室１５内に充填した状態で販売等するものとすれば、燃料収容室１５に対する炭燃料の充填等を行うことなく使用を開始でき便利である。
【００６６】
さらに、このような炭火調理器１と共に、焼き物として調理される肉や魚、その他、例えば使い捨てのアルミ製の鍋等に入れられた鍋料理の具材等とセットととして販売しても良く、これらの食材をオーブン室１６内に収容した状態等において提供するものであっても良い。
【００６７】
このような炭火調理セットの形態で販売することにより、購入後、炭燃料３０に着火するのみで焼き物や鍋物等の料理を行うことができると共に、調理直後の熱いうちに食べることができ便利である。
【００６８】
〔実施形態２〕
図４及び図５(A)，(B)は、本発明の別の実施形態の炭火調理器１を示し、この実施形態において燃料収容室１５は、本体１０内に挿入される耐熱容器６０’により形成されている。その他の構成については、図１〜３を参照して説明した前述の実施形態１と略同様の構成である。
【００６９】
この耐熱容器６０’は、例えばその上面及び下面を耐熱性の網状体により形成さており、この耐熱容器６０’内に炭燃料３０を収容することにより、本体１０に対してこの耐熱容器６０’ごと燃料の装填、取り外しを可能となす燃料カセット６０が構成されている。
【００７０】
図４に示す実施形態にあっては、この耐熱容器６０’は、本体１０内に収容可能な形状に形成された四角状の枠体６１の上下開口部分を網状体１９，２０で被蓋し、この中に炭燃料３０を挿入することにより形成しているが、例えばこの耐熱容器６０’は、前述の枠体６１についてもこれを網状体により形成しても良い。
【００７１】
図４に示す実施形態にあっては、例えば前記本体１０内の所定の位置に、炭燃料３０を収容した耐熱容器６０’（燃料カセット６０）を配置することができるよう、本体１０の内壁より突出した突起、本体１０の内壁間を架橋する金属棒、その他の係止部材６２（図示り例では突起）を取り付けておき、この係止部材６２によって燃料カセット６０が本体１０内の所定の位置に係止されるように構成しても良く、このようにして燃料カセット６０を本体１０内に挿入することにより、燃料カセット６０を構成する耐熱容器６０’の底面を被蓋する網状体２０が、燃料収容室１５とオーブン室１６間を仕切る仕切体として機能する。
【００７２】
なお、前述の燃料カセット６０’を本体１０内の所定位置に係止するための前述の係止部材６２は、本体１０内の高さ方向に取り付け位置を可変に構成しても良く、これによりオーブン室１６内に収容された食材Ｆに対する燃料収容室１５の位置を可変とし、調理の際の火力調整等を可能としても良い。
【００７３】
また、図示の実施形態にあっては、係止部材６２を本体１０の内壁に設ける構成について説明したが、耐熱容器６０’の枠体６１の上端縁に、例えばフランジ状に水平方向に突出する係止部材を設け、これにより燃料カセット６０を本体内の所定の位置に係止するよう構成しても良い（図示せず）。
【００７４】
このように、燃料カセットを本体１０内に挿入する構成とすることにより、一回の調理が終了して燃料が燃焼した後においても、この燃料カセットのみを交換することにより本発明の炭火調理器１を繰り返し使用することができ、経済的である。
【００７５】
図５(A)，(B)に示す実施形態は、前述の図４に示す実施形態と同様、本体１０内に炭燃料３０を収容した耐熱容器６０’を収容することにより、本体１０内を燃料収容室１５とオーブン室１６とに分離する点において同様であるが、本体１０内に挿入される耐熱容器６０’は、図４に示す耐熱容器６０’の枠体６１を下方に延長した脚部６４を備え、この脚部６４を本体の底板１１上に接触させることにより、前述のように本体１０の内壁より突出する係止部材等を設けることなしに、本体１０内に、その高さ方向に燃料収容室１５とオーブン室１６とを形成した例である。
【００７６】
図５(A)，(B)に示す実施形態にあっては、図４に示す耐熱容器６０’の枠体６１をそのまま下方に延長して前述の脚部６３を形成した全体として角筒状を成し、本体１０の出し入れ口１３の形成位置に対応する部分を切り欠いた切欠６４を備えた形状としているが、この形状に限定されることなく、本体１０内の所定の高さ位置に耐熱容器６０’内に収容された炭燃料３０を保持可能であれば、その形状は図示の例に限定されない。
【００７７】
図５(A)，(B)に示す実施形態にあっては、この脚部６３の下端には、底板１１上に平行に配置される、汁受け等となる平板６５が取り付けられている。
【００７８】
このように構成することにより、炭燃料３０が燃焼してこれを交換する際に、燃料カセット６０を本体１０より取り出すだけで、食材Ｆより出た汁や油等は底板１１上に配置された平板６５と共にこれを除去することができ、本体１０の掃除等が不要となる。
【００７９】
なお、このように燃料カセット６０に汁受け等となる平板６５を設ける場合には、必ずしも本体１０に底板１１を設ける必要はなく、この平板により底板を兼ねるように構成しても良い。
【００８０】
また、図５(A)，(B)に示す実施形態にあっては、本体１０及び燃料カセット６０をいずれも矩形状のものとして示したが、これらをいずれも円筒状のものとして構成しても良い。
【００８１】
この場合には、例えば本体１０と、その内部に収容された燃料カセット６０とを、相対的に逆方向に回転させることにより、本体１０に形成された出し入れ口１３と、燃料カセット６０の脚部に形成された切欠６４を位置合わせ、又は位置ずれさせることにより、出し入れ口１３を開閉可能に構成しても良く、この場合には、出し入れ口１３を覆う扉１４を別途設ける必要がない。
【００８２】
〔実施形態３〕
図６及び図７は、本体１０を前記燃料収容室１５を含む上部１０１と、この上部を載置する下部１０２とに分離可能に構成した例であり、その他の構成においては、前述した図１〜図３を参照して説明した実施形態１と同様の構成である。
【００８３】
図６における本体１０の上部１０１の構成は、図４を参照して説明した燃料カセット６０の構成と略同様であるが、図４に示す燃料カセット６０が本体１０内に収容されるものであったのに対し、図６に示す本体１０の上部１０１は、本体１０の下部１０２上に載置されて、下部１０２と共に本体１０を構成する。
【００８４】
なお、図示の実施形態にあっては、本体１０の下部において、オーブン室１６内外を連通する出し入れ口１３を形成しているが、このような出し入れ口１３を設けることなく前記燃料カセットを本体１０の下部上に載置する前に、この下部の上端開口を介して食材Ｆをオーブン室１６内に挿入し、また、調理後、この燃料カセットを外して上部開口より加熱調理された食材Ｆを取り出すように構成しても良い。この場合には、好ましくは前述の燃料カセットを移動させるための取っ手等（図示せず）を本体１０の上部１０１に取り付けておくことが好ましい。
【００８５】
図７に示す実施形態においても同様に、本体１０を上下に分離可能に構成しているが、この実施形態における本体１０の分離位置は、本体１０のオーブン室１６と燃料収容室１５の境界部分において分離するのではなく、この境界位置に対してさらに下方において分離可能に構成されている。
【００８６】
従って、分離可能に構成された本体の上部１０１は、その一部においてオーブン室１６をも構成するものとなっている。
【００８７】
なお、図７中７０は覗き窓であり、ガラス板、その他の耐熱性の透明板により覆われて本体１０内部を透視可能としている。
【００８８】
〔実施形態４〕
なお、図８における炭火調理器１は、図７における本体１０の上部１０１に相当する部分により構成された炭火調理器１であり、食材Ｆが載置された皿８０やトレー等の上にこの加熱調理器１を載置することにより、食材Ｆの加熱調理を行うことができるように構成されている。
【産業上の利用可能性】
【００８９】
以上説明した本発明の構成により、本発明の炭火調理器は、ホテル、レストラン、旅館等における例えば宴席において、卓上で使用する調理器として使用することができる他、これを炭燃料や食材と共にセットにして販売することにより、炭燃料に着火するのみで容易に調理された料理を得ることができ、スーパーやコンビニエンスストア等において、家庭用の炭火調理セットとして販売することも可能である。
【００９０】
また、このように炭燃料に着火するのみで容易に加熱調理器として使用することかできるものであることから、例えば災害時等において使用する非常用の調理器として、又は登山、キャンプ、運動会、遠足等の屋外でのレジャーにおいて使用する簡易調理器具の用途で使用することも可能である。
【図面の簡単な説明】
【００９１】
【図１】本発明の炭火調理器の一実施形態を示す概略斜視図。
【図２】図１のII-II線断面図。
【図３】図１のIII-III線断面図。
【図４】本発明の別の実施形態を示す炭火調理器の断面図。
【図５（Ａ）】本発明の別の実施形態を示す炭火調理器の側面断面図。
【図５（Ｂ）】本発明の別の実施形態を示す炭火調理器の本体１０と燃料カセット６０の分離状態を示す正面図。
【図６】本発明の別の実施形態を示す炭火調理器の断面図。
【図７】本発明の別の実施形態を示す炭火調理器の正面透視図。
【図８】本発明の別の実施形態を示す炭火調理器の斜視図。
【図９】金網５０との組合せ状態を示す炭火調理器の斜視図。
【図１０】金網５０との組合せ状態を示す炭火調理器の斜視図。
【符号の説明】
【００９２】
１  炭火調理器
１０  本体（炭火調理器の）
１０１  本体上部
１０２  本体下部
１１  底板
１２  側板
１３  出し入れ口
１４  扉
１４ａ  スリット
１５  燃料収容室
１５ａ  開口
１６  オーブン室
１８  コンロ
１９  網状体
２０  仕切体
３０  炭燃料
４０  鍋
５０  金網
５１  取っ手
６０  燃料カセット
６０’  耐熱容器
６１  枠体
６２  係止部材
６３  脚部
６４  切欠
６５  平板
７０  覗き窓
８０  皿  
Ｆ  食材（焼き物用）
Ｌ  折り曲げ部分
【図１】
2005114239.tif 000003
【図２】
2005114239.tif 000004
【図３】
2005114239.tif 000005
【図４】
2005114239.tif 000006
【図５（Ａ）】
2005114239.tif 000007
【図５（Ｂ）】
2005114239.tif 000008
【図６】
2005114239.tif 000009
【図７】
2005114239.tif 000010
【図８】
2005114239.tif 000011
【図９】
2005114239.tif 000012
【図１０】
2005114239.tif 000013